(57)【特許請求の範囲】
【請求項１】
付勢力により閉状態となることで高圧活線を取り囲むように取り付けられる開閉可能な一対のクランプ部と、
前記一対のクランプ部を前記開閉可能に支持すべく、少なくとも一方の前記クランプ部を軸部の周りに回動可能に軸支する本体と、
前記本体に設けられ、前記一対のクランプ部を前記閉状態に固定するための固定手段と、を有し、
前記高圧活線に流れる電流により前記一対のクランプ部に誘起される磁場に基づいて前記電流を測定するクランプ式電流計を、
前記高圧活線に取り付け又は取り外しする高圧活線電流計の着脱方法であって、
前記クランプ式電流計を取り付ける工程が、
前記本体を保持可能なホルダ部を有する保持具により前記クランプ式電流計を保持しつつ、少なくとも２つの当接部を有する操作具を操作し、前記閉状態にある前記一方のクランプ部の内側に一方の前記当接部が当接して作用点をなし、且つ前記ホルダ部に他方の前記当接部が当接して支点をなすように、前記操作具を前記一方のクランプ部及び前記ホルダ部に配置し、前記一方のクランプ部を前記軸部の周りに前記付勢力に抗する向きに回動させて前記一対のクランプ部を開状態とし当該開状態を保持する開状態保持ステップと、
前記保持具による前記保持の下で、前記一対のクランプ部を前記高圧活線を取り囲むように配置し、前記開状態を保持する動作を停止して前記閉状態とする開状態停止ステップと、
前記保持具による前記保持の下で、前記一対のクランプ部を前記閉状態に固定するように、前記操作具により前記固定手段を操作する閉状態固定ステップと、
前記保持具を前記クランプ式電流計から取り外す保持具取外ステップと、
を備えたことを特徴とする高圧活線電流計の着脱方法。
【請求項２】
前記クランプ式電流計を取り外す工程が、更に、
前記クランプ式電流計を前記保持具により保持しつつ、前記一対のクランプ部の前記閉状態の固定を解除するように、前記操作具により前記固定手段を操作する閉状態解除ステップと、
前記閉状態解除ステップに続き、前記開状態保持ステップを再度行う開状態再保持ステップと、
前記保持具による前記保持の下で、前記一対のクランプ部を前記高圧活線から離間させる保持具離間ステップと、
を備えたことを特徴とする請求項１に記載の高圧活線電流計の着脱方法。
【請求項３】
前記クランプ式電流計は、前記本体の上面部に前記一対のクランプ部を有し、且つ前記本体の側面部に前記固定手段を有し、
前記固定手段は、前記一方のクランプ部側の前記側面部における前記上面部側に設けられた案内部と、当該案内部において上方又は下方に案内されて前記一方のクランプ部の前記閉状態の固定又は当該固定の解除を行うべく上下方向に可動な可動部とを有し、
前記保持具は、前記ホルダ部と、当該ホルダ部を一端部にて着脱可能な絶縁操作棒とを有し、
前記ホルダ部は、
前記クランプ式電流計の前記本体の前記上面部に対応する部分に穿設された第一開口部と、
前記第一開口部を画成する第一開口辺にて外側に向かって徐々に開くように設けられた裾部と、
前記クランプ式電流計の前記本体の前記一方のクランプ部側の前記側面部における前記上面部側に対応する部分に穿設された第二開口部と、
前記第二開口部を画成する第二開口辺にて上下方向に延在し対向するように設けられた一対の突片と、
前記一対の突片の端部にて当該突片どうしに比べて互いにより離間するように設けられた一対の端片と、
前記一方のクランプ部側の前記裾部と前記一対の突片との間に、前記操作具の前記当接部を前記支点として係止すべく設けられた係止部と、
を有し、
前記操作具は、ヘッド部と、当該ヘッド部を一端部にて着脱可能な絶縁操作棒とを有し、
前記ヘッド部は、前記絶縁操作棒と同方向をなす主棒部材と、当該主棒部材に交差するように設けられた、前記２つの当接部たる２つの棒部材とを有する、
ことを特徴とする請求項１又は２に記載の高圧活線電流計の着脱方法。
【請求項４】
前記開状態保持ステップ又は前記開状態再保持ステップにおいて、前記操作具の前記絶縁操作棒の他端部が、前記作用点及び前記支点に対する力点をなすことを特徴とする請求項３に記載の高圧活線電流計の着脱方法。
【請求項５】
前記開状態停止ステップにおいて、
前記保持具による前記保持の下で、前記一対のクランプ部を前記高圧活線を取り囲むように配置し、前記開状態を保持する動作を停止して前記閉状態とすべく、
前記開状態保持ステップにおける前記当接部の前記当接の状態を保持しつつ前記ホルダ部を上方に配置するように、前記保持具の前記絶縁操作棒及び前記操作具の前記絶縁操作棒を共に操作した後、
前記当接の状態を解除するように前記操作具の前記絶縁操作棒を操作する、
ことを特徴とする請求項３に記載の高圧活線電流計の着脱方法。
【請求項６】
前記閉状態固定ステップ又は前記閉状態解除ステップにおいて、前記２つの棒部材の何れかにより前記可動部を前記案内部に沿って上方又は下方に移動させるように、前記操作具の前記絶縁操作棒を操作することを特徴とする請求項３に記載の高圧活線電流計の着脱方法。
【請求項７】
前記保持具取外ステップにおいて、前記ホルダ部を前記本体から取り外すように、前記保持具の前記絶縁操作棒を操作することを特徴とする請求項３に記載の高圧活線電流計の着脱方法。
【請求項８】
前記保持具離間ステップにおいて、前記開状態再保持ステップにおける前記当接部の前記当接の状態を保持しつつ前記ホルダ部を下方に移動させるように、前記保持具の絶縁操作棒及び前記操作具の絶縁操作棒を共に操作することを特徴とする請求項３に記載の高圧活線電流計の着脱方法。
【発明の詳細な説明】
【技術分野】
【０００１】
本発明は、高圧活線に対する電流計の着脱方法、特にクランプ式記録電流計の間接活線工法における着脱方法、並びに当該方法に用いられる、当該クランプ式記録電流計の保持具及び操作具に関する。
【背景技術】
【０００２】
電線中の通過電流を無切断で計測し記録する記録電流計として、ＣＴクランプ式記録電流計が知られている。この記録電流計は、電線をその軸線と交差するように取り囲み、内部にて通過電流に応じた磁場を発生させるための開閉可能なＣＴクランプ（クランプ部）を備えている。ここで、ＣＴとは、変流器（Ｃｕｒｒｅｎｔ  Ｔｒａｎｓｆｏｒｍｅｒ）を意味する。記録電流計は、このＣＴクランプにより電線を取り囲んだ状態で、当該ＣＴクランプ内で発生した磁場の強度に基づき、当該電線を流れる電流を計測する。
【特許文献１】特開昭６４−３８６６２号公報
【発明の開示】
【発明が解決しようとする課題】
【０００３】
しかしながら、高圧活線に適用される記録電流計の場合、その取り付け又は取り外しは間接活線工法により行われなければならないが、当該工法において使用される既製の専用工具は高価である上に、取り付ける記録電流計の台数分だけ必要である。このため、高圧活線に対する測定業務におけるコスト面での負担が大きくなる虞がある。一方、このような専用工具以外の間接活線工具を暫定的に使用して記録電流計を高圧活線に取り付け又は取り外しすることは非常に困難である。このため、高圧活線に対する測定業務における作業効率が低下する虞がある。
【０００４】
本発明は、かかる課題に鑑みてなされたものであり、その目的とするところは、高圧活線に対する測定業務を低コスト化且つ高効率化する高圧活線電流計の着脱方法を提供することにある。
【課題を解決するための手段】
【０００５】
前記課題を解決するための発明は、付勢力により閉状態となることで高圧活線を取り囲むように取り付けられる開閉可能な一対のクランプ部と、前記一対のクランプ部を前記開閉可能に支持すべく、少なくとも一方の前記クランプ部を軸部の周りに回動可能に軸支する本体と、前記本体に設けられ、前記一対のクランプ部を前記閉状態に固定するための固定手段と、を有し、前記高圧活線に流れる電流により前記一対のクランプ部に誘起される磁場に基づいて前記電流を測定するクランプ式電流計を、前記高圧活線に取り付け又は取り外しする高圧活線電流計の着脱方法であって、前記クランプ式電流計を取り付ける工程が、前記本体を保持可能なホルダ部を有する保持具により前記クランプ式電流計を保持しつつ、少なくとも２つの当接部を有する操作具を操作し、前記閉状態にある前記一方のクランプ部の内側に一方の前記当接部が当接して作用点をなし、且つ前記ホルダ部に他方の前記当接部が当接して支点をなすように、前記操作具を前記一方のクランプ部及び前記ホルダ部に配置し、前記一方のクランプ部を前記軸部の周りに前記付勢力に抗する向きに回動させて前記一対のクランプ部を開状態とし当該開状態を保持する開状態保持ステップと、前記保持具による前記保持の下で、前記一対のクランプ部を前記高圧活線を取り囲むように配置し、前記開状態を保持する動作を停止して前記閉状態とする開状態停止ステップと、前記保持具による前記保持の下で、前記一対のクランプ部を前記閉状態に固定するように、前記操作具により前記固定手段を操作する閉状態固定ステップと、前記保持具を前記クランプ式電流計から取り外す保持具取外ステップと、を備えてなる。
【０００６】
この高圧活線電流計の着脱方法によれば、前記保持具により前記クランプ式電流計を保持しつつ、前記作用点及び前記支点を有するテコの原理に従って前記操作具を前記一方のクランプ部及び前記ホルダ部に作用させ、前記付勢力に抗して前記軸部の周りに前記一方のクランプ部を回動させ、その開状態を保持できる。
【０００７】
また、前記一対のクランプ部を前記高圧活線を取り囲むように配置し、前記開状態を保持する動作を停止することにより、前記付勢力を開放して前記一対のクランプ部を前記高圧活線に吊り下げることができる。
【０００８】
更に、前記操作具により、前記一対のクランプ部を前記閉状態に固定するように前記固定手段を操作した後、前記保持具を前記クランプ式電流計から取り外すことにより、前記クランプ式電流計を前記高圧活線に対して確実に吊り下げることができる。これにより、高圧活線電流計の着脱方法における前記取り付け工程を効率良く実施できる。
【０００９】
一方、前記保持具を、例えば箱形状をなすホルダ部を有するものとし、前記操作具を、前記２つの当接部を有する例えばバインド打器等からなるものとすれば、これらの工具は比較的簡単な構成を有するが故に比較的安価な間接活線工具となり得る。従って、高圧活線に対する測定業務を低コスト化且つ高効率化できる。
【００１０】
また、かかる高圧活線電流計の着脱方法において、前記クランプ式電流計を取り外す工程が、更に、前記クランプ式電流計を前記保持具により保持しつつ、前記一対のクランプ部の前記閉状態の固定を解除するように、前記操作具により前記固定手段を操作する閉状態解除ステップと、前記閉状態解除ステップに続き、前記開状態保持ステップを再度行う開状態再保持ステップと、前記保持具による前記保持の下で、前記一対のクランプ部を前記高圧活線から離間させる保持具離間ステップと、を備えたことが好ましい。
【００１１】
この高圧活線電流計の着脱方法によれば、前記クランプ式電流計を前記保持具により保持しつつ、前記操作具により、前記一対のクランプ部の前記閉状態の固定を解除するように前記固定手段を操作した後、前記テコの原理に従って前記一対のクランプ部の開状態を保持し、当該一対のクランプ部を前記高圧活線から離間させることができる。
【００１２】
これにより、前記付勢力に抗して前記一対のクランプ部を開きつつ前記高圧活線から前記クランプ式電流計を確実に取り外すことができる。ここで、前述したように、前記保持具及び前記操作具は、比較的安価な間接活線工具でよい。よって、高圧活線に対する測定業務を低コスト化且つ高効率化できる。
【００１３】
また、かかる高圧活線電流計の着脱方法において、前記クランプ式電流計は、前記本体の上面部に前記一対のクランプ部を有し、且つ前記本体の側面部に前記固定手段を有し、前記固定手段は、前記一方のクランプ部側の前記側面部における前記上面部側に設けられた案内部と、当該案内部において上方又は下方に案内されて前記一方のクランプ部の前記閉状態の固定又は当該固定の解除を行うべく上下方向に可動な可動部とを有し、前記保持具は、前記ホルダ部と、当該ホルダ部を一端部にて着脱可能な絶縁操作棒とを有し、前記ホルダ部は、前記クランプ式電流計の前記本体の前記上面部に対応する部分に穿設された第一開口部と、前記第一開口部を画成する第一開口辺にて外側に向かって徐々に開くように設けられた裾部と、前記クランプ式電流計の前記本体の前記一方のクランプ部側の前記側面部における前記上面部側に対応する部分に穿設された第二開口部と、前記第二開口部を画成する第二開口辺にて上下方向に延在し対向するように設けられた一対の突片と、前記一対の突片の端部にて当該突片どうしに比べて互いにより離間するように設けられた一対の端片と、前記一方のクランプ部側の前記裾部と前記一対の突片との間に、前記操作具の前記当接部を前記支点として係止すべく設けられた係止部と、を有し、前記操作具は、ヘッド部と、当該ヘッド部を一端部にて着脱可能な絶縁操作棒とを有し、前記ヘッド部は、前記絶縁操作棒と同方向をなす主棒部材と、当該主棒部材に交差するように設けられた、前記２つの当接部たる２つの棒部材とを有することが好ましい。
【００１４】
この高圧活線電流計の着脱方法によれば、前記閉状態固定ステップ又は前記閉状態解除ステップにおいて、前記操作具を適宜操作して前記当接部を前記固定手段に近づけると、前記当接部は先ず前記端片により前記突片に案内され、次に前記突片により前記第二開口部、即ち前記固定手段まで容易に案内される。また、前記操作具を適宜操作して前記当接部により前記固定手段の前記可動部を上方又は下方に移動させる際、前記当接部が上下方向に沿った対向する２つの前記突片により案内されることにより、前記移動が円滑になる。よって、前記操作具による前記固定手段の操作が効率良くなる。
【００１５】
また、この高圧活線電流計の着脱方法によれば、前記開状態保持ステップにおいて、前記操作具の前記当接部は、前記第二開口部の上方に位置する前記係止部に係止される。よって、前記操作具は、前記第二開口部にて露出される前記固定手段を干渉することなく操作可能であり、当該操作が効率良くなる。
【００１６】
更に、この高圧活線電流計の着脱方法によれば、前記閉状態解除ステップに先だって、例えば前記保持具を適宜操作して前記ホルダ部を前記クランプ式電流計の前記本体に近づけると、前記裾部に当接した前記本体の底面部が当該裾部に案内される。よって、前記保持具により、前記クランプ式電流計を効率良く保持できる。
【００１７】
加えて、この高圧活線電流計の着脱方法によれば、前記開状態保持ステップにおいて、前記テコの原理における前記作用点及び前記支点を前記２つの棒部材にそれぞれ対応させ、前記絶縁操作棒の例えば他端部を力点とすることにより、前記一方のクランプ部を前記付勢力に抗して前記軸部の周りに回動させて前記一対のクランプ部の前記開状態を保持できる。また、前記閉状態固定ステップ又は前記閉状態解除ステップにおいて、前記２つの棒部材の何れかにより前記可動部を移動できる。よって、比較的簡単な構成を有する前記操作具により、前記開状態保持ステップ、前記閉状態固定ステップ、及び前記閉状態解除ステップの動作を実行できる。
【００１８】
また、かかる高圧活線電流計の着脱方法において、前記開状態保持ステップ又は前記開状態再保持ステップにおいて、前記操作具の前記絶縁操作棒の他端部が、前記作用点及び前記支点に対する力点をなすことが好ましい。
【００１９】
また、かかる高圧活線電流計の着脱方法において、前記開状態停止ステップにおいて、前記保持具による前記保持の下で、前記一対のクランプ部を前記高圧活線を取り囲むように配置し、前記開状態を保持する動作を停止して前記閉状態とすべく、前記開状態保持ステップにおける前記当接部の前記当接の状態を保持しつつ前記ホルダ部を上方に配置するように、前記保持具の前記絶縁操作棒及び前記操作具の前記絶縁操作棒を共に操作した後、前記当接の状態を解除するように前記操作具の前記絶縁操作棒を操作する、ことが好ましい。
【００２０】
また、かかる高圧活線電流計の着脱方法において、前記閉状態固定ステップ又は前記閉状態解除ステップにおいて、前記２つの棒部材の何れかにより前記可動部を前記案内部に沿って上方又は下方に移動させるように、前記操作具の前記絶縁操作棒を操作することが好ましい。
【００２１】
また、かかる高圧活線電流計の着脱方法において、前記保持具取外ステップにおいて、前記ホルダ部を前記本体から取り外すように、前記保持具の前記絶縁操作棒を操作することが好ましい。
【００２２】
また、かかる高圧活線電流計の着脱方法において、前記保持具離間ステップにおいて、前記開状態再保持ステップにおける前記当接部の前記当接の状態を保持しつつ前記ホルダ部を下方に移動させるように、前記保持具の絶縁操作棒及び前記操作具の絶縁操作棒を共に操作することが好ましい。
【００２３】
また、前記課題を解決するための発明は、閉状態となることで高圧活線を取り囲むように取り付けられる開閉可能な一対のクランプ部と、前記一対のクランプ部を上面部にて前記開閉可能に支持する本体と、前記本体における、少なくとも一方の前記クランプ部側の側面部の前記上面部側に設けられた案内部と、当該案内部において上方又は下方に案内されて前記一方のクランプ部の前記閉状態の固定又は当該固定の解除を行うべく上下方向に可動な可動部とを有する固定手段と、を備え、前記高圧活線に流れる電流により前記一対のクランプ部に誘起される磁場に基づいて前記電流を測定するクランプ式電流計を、前記高圧活線に取り付け又は取り外しする高圧活線電流計の着脱方法に用いられる保持具であって、前記クランプ式電流計の前記本体を保持可能なホルダ部を有し、前記ホルダ部は、前記クランプ式電流計の前記本体の前記上面部に対応する部分に穿設された第一開口部と、前記固定手段の前記可動部を上方又は下方に移動させるための操作具を前記固定手段に案内可能とすべく、前記クランプ式電流計の前記本体の前記一方のクランプ部側の前記側面部における前記上面部側に対応する部分に穿設された第二開口部と、前記第二開口部を画成する第二開口辺にて上下方向に延在し対向するように設けられた一対の突片と、を有してなる。
【００２４】
また、かかる高圧活線電流計の着脱方法に用いられる保持具において、前記ホルダ部における前記一対の突片の端部には、当該突片どうしに比べ、互いにより離間するように、一対の端片が更に設けられていることが好ましい。
【００２５】
また、かかる高圧活線電流計の着脱方法に用いられる保持具において、前記ホルダ部における、前記第一開口部を画成する第一開口辺には、外側に向かって徐々に開くように、裾部が更に設けられていることが好ましい。
【００２６】
また、かかる高圧活線電流計の着脱方法に用いられる保持具において、前記操作具は、ヘッド部と、当該ヘッド部を一端部にて着脱可能な絶縁操作棒とを有し、前記ヘッド部は、前記絶縁操作棒と同方向をなす主棒部材と、当該主棒部材に交差するように設けられた棒部材とを有する、ことが好ましい。
【００２７】
また、かかる高圧活線電流計の着脱方法に用いられる保持具において、前記棒部材により前記可動部を前記案内部に沿って上方又は下方に移動させるように、前記操作具の前記絶縁操作棒を操作することが好ましい。
【００２８】
また、前記課題を解決するための発明は、付勢力により閉状態となることで高圧活線を取り囲むように取り付けられる開閉可能な一対のクランプ部と、前記一対のクランプ部を前記開閉可能に支持すべく、少なくとも一方の前記クランプ部を軸部の周りに回動可能に軸支する本体と、前記本体に設けられ、前記一対のクランプ部を前記閉状態に固定するための固定手段と、を有し、前記高圧活線に流れる電流により前記一対のクランプ部に誘起される磁場に基づいて前記電流を測定するクランプ式電流計を、前記高圧活線に取り付け又は取り外しする高圧活線電流計の着脱方法に用いられる操作具であって、保持具により前記本体が保持された前記クランプ式電流計における、前記閉状態にある前記一方のクランプ部を、前記軸部の周りに前記付勢力に抗する向きに回動させて開状態とすべく、前記一方のクランプ部の内側に一つが当接して作用点をなし、且つ前記保持具にもう一つが当接して支点をなすための少なくとも２つの当接部を有してなる。
【００２９】
また、かかる高圧活線電流計の着脱方法に用いられる操作具において、前記クランプ式電流計は、前記本体の上面部に前記一対のクランプ部を有し、且つ前記本体の側面部に前記固定手段を有し、前記固定手段は、前記一方のクランプ部側の前記側面部における前記上面部側に設けられた案内部と、当該案内部において上方又は下方に案内されて前記一方のクランプ部の前記閉状態の固定又は当該固定の解除を行うべく上下方向に可動な可動部とを有する、ことが好ましい。
【００３０】
また、かかる高圧活線電流計の着脱方法に用いられる操作具において、前記２つの当接部を有するヘッド部と、当該ヘッド部を一端部にて着脱可能な絶縁操作棒とを有し、前記ヘッド部は、前記絶縁操作棒と同方向をなす主棒部材と、当該主棒部材に交差するように設けられた、前記２つの当接部たる２つの棒部材とを有する、ことが好ましい。
【００３１】
また、かかる高圧活線電流計の着脱方法に用いられる操作具において、前記絶縁操作棒の他端部が、前記作用点及び前記支点に対する力点をなすことが好ましい。
【００３２】
また、かかる高圧活線電流計の着脱方法に用いられる操作具において、前記保持具は、前記クランプ式電流計の前記本体を保持すべく、前記クランプ式電流計の前記本体の前記上面部に対応する部分に穿設された第一開口部、及び当該第一開口部を画成する第一開口辺にて外側に向かって徐々に開くように設けられた裾部と、前記クランプ式電流計の前記本体の前記一方のクランプ部側の前記側面部における前記上面部側に対応する部分に穿設された第二開口部、及び当該第二開口部を画成する第二開口辺にて上下方向に延在し対向するように設けられた一対の突片と、を備えるホルダ部を有し、前記ホルダ部における、前記一方のクランプ部側の前記裾部と前記一対の突片との間には、前記棒部材を前記支点として係止するための係止部が設けられた、ことが好ましい。
【００３３】
また、かかる高圧活線電流計の着脱方法に用いられる操作具において、前記２つの棒部材の何れかにより前記可動部を前記案内部に沿って上方又は下方に移動させるように、前記絶縁操作棒を操作することが好ましい。
【発明の効果】
【００３４】
高圧活線に対する測定業務を低コスト化且つ高効率化できる。
【発明を実施するための最良の形態】
【００３５】
＝＝＝記録電流計の構成＝＝＝
図１の正面図に例示されるように、本実施の形態の高圧活線電流計の着脱方法の適用対象である記録電流計１０は、主として、一対のＣＴクランプ（クランプ部）１２ａ、１２ｂと、本体１４とから構成されている。一方のＣＴクランプ１２ａ（図１中左側）は、本体１４上面（上面部）に固定されており、他方のＣＴクランプ１２ｂ（図１中右側、一方のクランプ部）は、軸部１３にて本体１４に軸支されて図１中左側のＣＴクランプ１２ａに対して開閉可能である。この開閉を手動で行う場合、ＣＴクランプ１２ｂの端部に一体に設けられたハンドル１２ｃを操作する。ＣＴクランプ１２ｂは、ＣＴクランプ１２ａに対して常時閉じた状態をなすように適宜ばね付勢されている。
【００３６】
また、図１における本体１４の右側面（側面部）には、ＣＴクランプ１２ｂに対するロック機構（固定手段）１６が設けられている。本実施の形態のロック機構１６は、ロック釦（可動部）１６ａと、摺動溝（案内部）１６ｂとを備えて構成されている。本体１４側面における摺動溝１６ｂに嵌合されて、ロック釦１６ａは図１中上下方向に摺動可能となる。このロック釦１６ａが摺動溝１６ｂに対して図１中上部に設定されれば、当該ロック釦１６ａにハンドル１２ｃが係止されたＣＴクランプ１２ｂは、ＣＴクランプ１２ａに対して閉じた状態を保ったまま固定される。一方、このロック釦１６ａが摺動溝１６ｂに対して図１中下部に設定されれば、ハンドル１２ｃは本体１４に軸支されて回動し、ばね付勢に抗してＣＴクランプ１２ａ、１２ｂどうしを開くことが可能となる。
【００３７】
本実施の形態の記録電流計１０は、高圧活線Ａを中心とし、当該高圧活線Ａの周りに発生する磁場の強度から、当該高圧活線Ａに流れる電流値を測定して記録するメモリカード式記録電流計である。つまり、一対のＣＴクランプ１２ａ、１２ｂ内に発生する磁場の強度を計測すべく、当該ＣＴクランプ１２ａ、１２ｂは、例えばコイル（不図示）が適宜巻回されたコア（不図示）等から形成されている。
【００３８】
＝＝＝間接活線工具の構成＝＝＝
図２の斜視図に例示されるように、本実施の形態の高圧活線電流計の着脱方法に用いられるアタッチメント用工具（保持具）２０は、主として、ステンレス製容器（ホルダ部）２２と、絶縁操作棒２４とから構成されている。ここで、ステンレス製容器２２は記録電流計１０を収納し、絶縁操作棒２４はこのステンレス製容器２０に対して一端部にて着脱可能である。
【００３９】
ステンレス製容器２２は、略直方体形状をなし、鉛直方向上面に開口部２２ａ（第一開口部）を有する。ステンレス製容器２２に記録電流計１０の本体１４が収納されると、ＣＴクランプ１２ａ、１２ｂはこの開口部２２ａから露出する。また、ステンレス製容器２２は、開口部２２ａから鉛直方向下部に更に開口部２２ｂ（第二開口部）を有している。ステンレス製容器２２に記録電流計１０の本体１４が収納されると、ロック機構１６はこの開口部２２ｂから露出する。尚、本実施の形態のステンレス製容器２２の底部内面には、記録電流計１０の本体１４底部が当接する際の緩衝材及び電気的絶縁材としてのゴム製クッション（不図示）が設けられている。
【００４０】
本実施の形態のステンレス製容器２２は、例えばＳＵＳ３０４のステンレス製シートを適宜な形状に切り抜き、折り曲げ、一部溶接して形成されたものである。よって、次に述べるガイド部（突片）２２１ａ、２２１ｂ、エッジ部（端片）２２３ａ、２２３ｂ、及びフレア部（裾部）２２５ａ、２２５ｂ、２２５ｃ、２２５ｄは、１枚のステンレス製シートから適宜切り抜かれ折り曲げられて形成されている。
【００４１】
ガイド部２２１ａ、２２１ｂは、長方形状をなす開口部２２ｂの上下方向に沿った対向する２つの辺にて容器２２の側面から突出するように、当該側面と一体に形成されている。  
エッジ部２２３ａ、２２３ｂは、ガイド部２２１ａ、２２１ｂの端部にて容器２２の側面から突出するほど互いに徐々に離間するように、当該ガイド部２２１ａ、２２１ｂと一体に設けられている。  
フレア部２２５ａ、２２５ｂ、２２５ｃ、２２５ｄは、開口部２２ａを画成する４辺のそれぞれが互いに上方に向かって徐々に開くべく形成されている。
【００４２】
絶縁操作棒２４は、その先端が、ステンレス製容器２２の底部外面に設けられた、ステンレス製キャップからなるアダプタ２２ｃと互いに脱着可能となっている。尚、本実施の形態のアダプタ２２ｃ及び絶縁操作棒２４は、広く製品化された間接活線工具と同様の構成を有してよい。
【００４３】
図３の正面図に例示されるように、本実施の形態の高圧活線電流計の着脱方法に用いられる操作用工具（操作具）３０は、主として、ステンレス製のヘッド部３２と、絶縁操作棒３４とから構成されている。ここで、絶縁操作棒３４は、ヘッド部３２をその一端部にて着脱可能である。つまり、絶縁操作棒３４の先端は、ヘッド部３２の端部に設けられたステンレス製キャップからなるアダプタ３３と互いに脱着可能となっている。
【００４４】
ヘッド部３２においては、例えばＳＵＳ３０４のステンレス製棒部材（主棒部材）が曲げ加工されて第１棒部材（棒部材、当接部）３２ａが形成され、このステンレス製棒部材に対して第２棒部材（棒部材、当接部）３２ｂが第１棒部材３２ａと平行に溶接されている。操作用工具３０を取り扱う際の作業者の安全性を確保するために、第１棒部材３２ａ及び第２棒部材３２ｂの先端には、略球形状をなす球状部材３６ａ、３６ｂが設けられている。特に球状部材３６ａは、後述するロック機構１６の操作のために、扁平な球形状をなしている。
【００４５】
尚、本実施の形態のアダプタ３３及び絶縁操作棒３４は、広く製品化された間接活線工具と同様の構成を有してよい。
【００４６】
＝＝＝高圧活線電流計の着脱方法＝＝＝
＜＜＜取り付け動作＞＞＞
図面を参照しつつ、本実施の形態における、記録電流計１０を高圧活線Ａに取り付ける動作について説明する。
【００４７】
図４のフローチャートに例示されるように、一人の作業者は、ロック機構１６が例えば手動で解除された記録電流計１０をアタッチメント用工具２０により保持する。もう一人の作業者は、操作用工具３０を把持し、図５に示すように、ＣＴクランプ１２ｂにその内側から第１棒部材３２ａが当接して作用点（Ｐ）をなし且つステンレス製容器２２に第２棒部材３２ｂが当接して支点（Ｑ）をなすように操作用工具３０を作用させ、ばね付勢に抗してＣＴクランプ１２ｂを軸部１３の周りに図５における矢印の方向に回動させてＣＴクランプ１２ａ、１２ｂを開き、これを保持する（Ｓ１００）。
【００４８】
図５の外観図に例示されるように、操作用工具３０のＣＴクランプ１２ｂの内側に対する作用点（Ｐ）に対して、支点（Ｑ）は、ガイド部２２１ａ、２２１ｂとフレア部２２５ａとの間（係止部）に位置し、力点（Ｒ）は、操作用工具３０の絶縁操作棒３４における作業者の把持部に位置する。つまり、操作用工具３０のテコの原理に基づいてＣＴクランプ１２ｂが軸部１３の周りに回動する。
【００４９】
次に、２人の作業者は、ＣＴクランプ１２ｂに対する操作用工具３０のテコとしての状態を保持しつつ、アタッチメント用工具２０及び操作用工具３０を協同的に移動させて、記録電流計１０を高圧活線Ａに適宜近づけ、開いたＣＴクランプ１２ａ、１２ｂに高圧活線Ａを囲繞させる（図６参照）。この状態で、操作用工具３０を把持した作業者が、ＣＴクランプ１２ｂに対する当該操作用工具３０のテコとしての状態を停止することにより、ＣＴクランプ１２ａ、１２ｂを閉状態とし、当該ＣＴクランプ１２ａ、１２ｂを高圧活線Ａに吊り下げる（図７参照）（Ｓ１０１）。
【００５０】
次に、一人の作業者が、アタッチメント用工具２０により記録電流計１０を保持した状態で、もう一人の作業者が、操作用工具３０における第１棒部材３２ａの先端の球状部材３６ａにより、ステンレス製容器２２の開口部２２ｂから露出したロック釦１６ａを摺動溝１６ｂに沿って鉛直方向上方に摺動させ（図８参照）、ＣＴクランプ１２ａ、１２ｂを閉じた状態に固定する（Ｓ１０２）。
【００５１】
次に、図９の外観図に例示されるように、一人の作業者は、アタッチメント用工具２０を鉛直方向下方に適宜移動し、記録電流計１０からステンレス製容器２２を取り外す（Ｓ１０３）。
【００５２】
尚、前述したステップＳ１００が本実施の形態の開状態保持ステップに相当し、ステップＳ１０１が本実施の形態の開状態停止ステップに相当し、ステップＳ１０２が本実施の形態の閉状態固定ステップに相当し、ステップＳ１０３が本実施の形態の保持具取外ステップに相当する。
【００５３】
＜＜＜取り外し動作＞＞＞
図１０を参照しつつ、本実施の形態における、記録電流計１０を高圧活線Ａから取り外す動作について説明する。尚、取り外し動作は取り付け動作の略逆順である。  
同図のフローチャートに例示されるように、アタッチメント用工具２０を鉛直方向上方に適宜移動し、記録電流計１０にステンレス製容器２２を取り付ける（Ｓ２００）。次に、アタッチメント用工具２０により記録電流計１０を保持した状態で、操作用工具３０における第１棒部材３２ａの先端の球状部材３６ａにより、ステンレス製容器２２の開口部２２ｂから露出したロック釦１６ａを摺動溝１６ｂに沿って鉛直方向下方に摺動させ、ＣＴクランプ１２ａ、１２ｂの閉じた状態の固定を解除する（Ｓ２０１）。次に、アタッチメント用工具２０にて記録電流計１０を保持した状態で、ＣＴクランプ１２ｂにその内側から第１棒部材３２ａが当接して作用点（Ｐ）をなし且つステンレス製容器２２に第２棒部材３２ｂが当接して支点（Ｑ）をなすように操作用工具３０を作用させ（テコの動作）、ばね付勢に抗してＣＴクランプ１２ｂを軸部１３の周りに回動させてＣＴクランプ１２ａ、１２ｂを開く（Ｓ２０２）。次に、アタッチメント用工具２０にて記録電流計１０を保持し、且つ操作用工具３０の前記テコの状態を保持しつつ、開いたＣＴクランプ１２ａ、１２ｂを高圧活線Ａから離間させる（Ｓ２０３）。
【００５４】
尚、前述したステップＳ２０１が本実施の形態の閉状態解除ステップに相当し、ステップＳ２０２が本実施の形態の開状態再保持ステップに相当し、ステップＳ２０３が本実施の形態の保持具離間ステップに相当する。
【００５５】
本実施の形態の高圧活線電流計の着脱方法によれば、高圧活線Ａに対する記録電流計１０の取り付け及び取り外しを効率的に実施できる。ここで、アタッチメント用工具２０及び操作用工具３０は、簡単な構成を有するが故に安価な間接活線工具である。従って、高圧活線に対する測定業務を低コスト化且つ高効率化できる。
【００５６】
また、本実施の形態の高圧活線電流計の着脱方法によれば、図８の外観図に例示されるように、前述したステップＳ１０２及びＳ２０１において、操作用工具３０の第１棒部材３２ａをロック釦１６ａに近づけると、当該第１棒部材３２ａは、ガイド部２２１ａ、２２１ｂにより当該ロック釦１６ａまで容易に案内される。この案内の動作は、エッジ部２２３ａ、２２３ｂの案内により更に良好となる。また、ガイド部２２１ａ、２２１ｂによる上下方向の案内により、操作用工具３０によるロック釦１６ａの上下方向の摺動も容易になる。よって、操作用工具３０によるロック機構１６の操作が効率良くなり、これは、高圧活線に対する測定業務の高効率化につながる。
【００５７】
また、本実施の形態の高圧活線電流計の着脱方法によれば、図５及び図６の外観図に例示されるように、前述したステップＳ１００及びＳ２０２において、操作用工具３０の第２棒部材３２ｂは、ガイド部２２１ａ、２２１ｂとフレア部２２５ａとの間に係止される。よって、操作用具３０は、ロック機構１６を干渉することなく操作可能であり、当該操作が効率良くなる。これは、高圧活線に対する測定業務の高効率化につながる。
【００５８】
また、本実施の形態の高圧活線電流計の着脱方法によれば、前述したステップＳ２００において記録電流計１０にステンレス製容器２２を取り付ける際、当該記録電流計１０は、フレア部２２５ａ、２２５ｂ、２２５ｃ、２２５ｄに案内されて取付易くなる。よって、アタッチメント用工具２０による記録電流計１０の保持が効率良くなり、これは、高圧活線に対する測定業務の高効率化につながる。
【００５９】
＝＝＝その他の実施の形態＝＝＝
前述した実施の形態は、本発明の理解を容易にするためのものであり、本発明を限定して解釈するためのものではない。本発明は、その趣旨を逸脱することなく変更、改良されるとともに、本発明にはその等価物も含まれる。
【００６０】
前述した実施の形態においては、固定手段の構成として、摺動溝１６ｂをロック釦１６ａが鉛直方向上下に摺動するものであったが、これに限定されるものではない。例えば、ロック釦１６ａは押下式のものであってもよく、この場合には第１棒部材３２ａの先端の球状部材３６ａでこれを押下すればよい。
【００６１】
また、前述した実施の形態においては、ステップＳ１０２及びＳ２０１におけるロック釦１６ａの上下方向の摺動には第１棒部材３２ａを用いたが、これに限定されるものではなく、例えば第２棒部材３２ｂを用いてもよい。
【００６２】
また、前述した実施の形態においては、操作具として操作用工具３０を使用したが、これに限定されるものではなく、前述したテコの動作が可能で、ロック釦１６ａを摺動させることが可能な構成を有する間接活線工具であればいかなるものでもよい。例えば、図１１の正面図に例示されたバインド打用工具３００であってもよく、これは、前述したテコの原理における作用点（Ｐ、当接部）及び支点（Ｑ、当接部）を備えている。
【図面の簡単な説明】
【００６３】
【図１】本実施の形態のクランプ式電流計の正面外観図である。
【図２】本実施の形態の保持具の斜視図である。
【図３】本実施の形態の操作具の正面図である。
【図４】本実施の形態のクランプ式電流計取付手順を示すフローチャートである。
【図５】本実施の形態のクランプ式電流計取付手順の開状態保持ステップを示す外観図である。
【図６】本実施の形態のクランプ式電流計取付手順の開状態停止ステップを示す外観図である。
【図７】本実施の形態のクランプ式電流計取付手順の開状態停止ステップを示すもう一つの外観図である。
【図８】本実施の形態のクランプ式電流計取付手順の閉状態固定ステップを示す外観図である。
【図９】本実施の形態のクランプ式電流計取付手順の保持具取外ステップを示す外観図である。
【図１０】本実施の形態のクランプ式電流計取外手順を示すフローチャートである。
【図１１】本実施の形態の操作具のもう一つの正面図である。
【符号の説明】
【００６４】
１０  記録電流計
１２ａ、１２ｂ  ＣＴクランプ
１２ｃ  ハンドル
１３  軸部
１４  本体
１６  ロック機構
１６ａ  ロック釦
１６ｂ  摺動溝
２０  アタッチメント用工具
２２  ステンレス製容器
２２ａ、２２ｂ  開口部
２２ｃ、３３  アダプタ
２２１ａ、２２１ｂ  ガイド部
２２３ａ、２２１ｂ  エッジ部
２２５ａ、２２５ｂ、２２５ｃ、２２５ｄ  フレア部
２４、３４  絶縁操作棒
３０  操作用工具
３２  ヘッド部
３２ａ  第１棒部材
３２ｂ  第２棒部材
３６ａ、３６ｂ  球状部材
３００  バインド打用工具
【図１】
0004807940.tif 000002
【図２】
0004807940.tif 000003
【図３】
0004807940.tif 000004
【図４】
0004807940.tif 000005
【図５】
0004807940.tif 000006
【図６】
0004807940.tif 000007
【図７】
0004807940.tif 000008
【図８】
0004807940.tif 000009
【図９】
0004807940.tif 000010
【図１０】
0004807940.tif 000011
【図１１】
0004807940.tif 000012